(57)【要約】【課題】低温環境下において、漏水検知センサによる結露水の誤検知を防止することができる貯湯式給湯機の漏水検知装置を提供する。【解決手段】貯湯式給湯機の漏水検知装置は、貯湯タンクを収納する外郭ケース下部の底面板に設けられ、外郭ケースの内部に発生する漏水または結露水を集める漏水受けと、漏水受けの内部の空間を二分し、二分した空間をつなぐスリット部を有した仕切り板と、仕切り板で二分された２つの部屋のうち、底部がより低い排水部屋に設けられ、漏水を排水する排水口と、仕切り板で二分された２つの部屋のうち、底部がより高い漏水溜め部屋に設けられ、溜められた漏水または結露水が予め設定された水位に達したことを検知する漏水検知センサと、漏水溜め部屋において漏水検知センサを覆い、漏水溜め部屋の底面に向かって開口した下側開口を有したカバーと、を備えた。【選択図】図２
2020085617.tif 000002
【特許請求の範囲】
【請求項１】
貯湯タンクを収納する外郭ケース下部の底面板に設けられ、前記外郭ケースの内部に発生する漏水または結露水を集める漏水受けと、
前記漏水受けの内部の空間を二分し、二分した空間をつなぐスリット部を有した仕切り板と、
前記仕切り板で二分された２つの部屋のうち、底部がより低い排水部屋に設けられ、漏水を排水する排水口と、
前記仕切り板で二分された２つの部屋のうち、底部がより高い漏水溜め部屋に設けられ、溜められた漏水または結露水が予め設定された水位に達したことを検知する漏水検知センサと、
前記漏水溜め部屋において前記漏水検知センサを覆い、前記漏水溜め部屋の底面に向かって開口した下側開口を有したカバーと、
を備えた貯湯式給湯機の漏水検知装置。
【請求項２】
前記カバーは、上側開口の開口面積が前記下側開口の開口面積よりも狭い、請求項１に記載の貯湯式給湯機の漏水検知装置。
【請求項３】
前記カバーは、下端面が前記排水口の上端よりも下方に配置された、請求項１または請求項２に記載の貯湯式給湯機の漏水検知装置。
【請求項４】
前記カバーは、下端面が前記漏水検知センサの検知部よりも下方に配置された、請求項１から請求項３のいずれか一項に記載の貯湯式給湯機の漏水検知装置。
【請求項５】
前記カバーは、上端面が前記仕切り板の上端よりも上方に配置された、請求項１から請求項４のいずれか一項に記載の貯湯式給湯機の漏水検知装置。
【請求項６】
前記カバーは、上端面が前記底面板の下端よりも上方かつ前記底面板の上端よりも下方に配置された、請求項１から請求項５のいずれか一項に記載の貯湯式給湯機の漏水検知装置。
【請求項７】
前記カバーは、前記漏水溜め部屋の底面と前記カバーの下端面との間に設けられた支持部に支持された、請求項１から請求項６のいずれか一項に記載の貯湯式給湯機の漏水検知装置。
【請求項８】
前記カバーの内部に設けられ、前記漏水検知センサを保持する仕切り、
を備え、
前記漏水検知センサは、前記仕切りの上下において漏水を検知する検知範囲を有した、請求項１から請求項７のいずれか一項に記載の貯湯式給湯機の漏水検知装置。
【請求項９】
前記漏水検知センサは、検知部が一対の電極であり、
前記仕切りは、前記検知部の周辺の部位の高さが他の部位よりも高い、請求項８に記載の貯湯式給湯機の漏水検知装置。
【請求項１０】
前記漏水検知センサは、検知部が一対の電極であり、
前記カバーは、開口部が前記一対の電極の間に形成された、請求項８に記載の貯湯式給湯機の漏水検知装置。
【発明の詳細な説明】
【技術分野】
【０００１】
この発明は、貯湯式給湯機の漏水検知装置に関する。
【背景技術】
【０００２】
特許文献１は、貯湯式給湯機の漏水検知装置を開示する。当該検知装置において、仕切り板は、漏水受けの内部の空間を二分する。スリット部は、二分した空間をつなぐ。排水部屋は、仕切り板で二分された空間のうち、底部がより低い部屋である。漏水溜め部屋は、仕切り板で二分された２つの部屋のうち、底部がより高い部屋である。排水口は、排水部屋に設けられる。漏水検知センサは、漏水溜め部屋に設けられる。当該構成によれば、漏水検知センサによる結露水の誤検知を防止し得る。
【先行技術文献】
【特許文献】
【０００３】
【特許文献１】特開２０１７−２１５０７５号公報
【発明の概要】
【発明が解決しようとする課題】
【０００４】
しかしながら、特許文献１に記載の漏水検知装置においては、低温環境下において、結露水が漏水受けで凍結すると、排水経路が塞がれる。このため、漏水溜め部屋において、残水が凍結して堆積する。その結果、検知する必要のない量の結露水を誤検知し得る。
【０００５】
この発明は、上述の課題を解決するためになされた。この発明の目的は、低温環境下において、漏水検知センサによる結露水の誤検知を防止することができる貯湯式給湯機の漏水検知装置を提供することである。
【課題を解決するための手段】
【０００６】
この発明に係る貯湯式給湯機の漏水検知装置は、貯湯タンクを収納する外郭ケース下部の底面板に設けられ、外郭ケースの内部に発生する漏水または結露水を集める漏水受けと、漏水受けの内部の空間を二分し、二分した空間をつなぐスリット部を有した仕切り板と、仕切り板で二分された２つの部屋のうち、底部がより低い排水部屋に設けられ、漏水を排水する排水口と、仕切り板で二分された２つの部屋のうち、底部がより高い漏水溜め部屋に設けられ、溜められた漏水または結露水が予め設定された水位に達したことを検知する漏水検知センサと、漏水溜め部屋において漏水検知センサを覆い、漏水溜め部屋の底面に向かって開口した下側開口を有したカバーと、を備えた。
【発明の効果】
【０００７】
この発明によれば、低温環境下において、漏水検知センサによる結露水の誤検知を防止することができる。
【図面の簡単な説明】
【０００８】
【図１】実施の形態１における貯湯式給湯機の漏水検知装置が取り付けられる貯湯ユニットの構成図である。
【図２】実施の形態１における貯湯式給湯機の漏水検知装置の要部の縦断面図である。
【図３】実施の形態１における貯湯式給湯機の漏水検知装置の平面図である。
【図４】実施の形態１における貯湯式給湯機の漏水検知装置の筒状カバーの斜視図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における貯湯式給湯機の漏水検知装置が取り付けられる貯湯ユニットの構成図である。ただし、一部の部品の図示は省略される。以降の図でも同様である。図１に示されるように、貯湯ユニット１は、外郭ケース６と貯湯タンク２と複数の脚１０と給水管３と出湯管４と底面板７と漏水検知装置８と給水電磁弁９と制御基板５とを備える。
【００１１】
外郭ケース６は、貯湯ユニット１の部品を保護する。貯湯タンク２は、外郭ケース６に収納される。貯湯タンク２は、湯水を貯留する。複数の脚１０は、貯湯タンク２と外郭ケース６を床面２０に固定する。給水管３は、貯湯タンク２に水を供給する。出湯管４は、貯湯タンク２から湯水を出す。底面板７は、外郭ケース６の下部に設けられる。底面板７は、貯湯ユニット１の部品からの漏水または結露水を受ける。漏水検知装置８は、底面板７の最低面に取り付けられる。漏水検知装置８は、底面板７に流入した漏水を検知する。給水電磁弁９は、給水管３に取り付けられる。給水電磁弁９は、漏水検知装置８が漏水を検知した際に給水を停止する。制御基板５は、貯湯ユニット１を制御する。
【００１２】
図示されないが、ホース等は、漏水検知装置８に取り付けられる。貯湯ユニット１において、部品からの漏水または結露水は、ホース等を介して漏水検知装置８からホッパー等に排出される。その結果、漏水または結露水で床面２０を濡らすことを防止できる。
【００１３】
図２は実施の形態１における貯湯式給湯機の漏水検知装置の要部の縦断面図である。図３は実施の形態１における貯湯式給湯機の漏水検知装置の平面図である。図４は実施の形態１における貯湯式給湯機の漏水検知装置の筒状カバーの斜視図である。図２および図３に示されるように、漏水検知装置８は、漏水受け１１と仕切り板１２とスリット部１３と漏水溜め部屋１４と排水部屋１５とラウンド形状部１６と排水口１７と漏水検知センサ１８と筒状カバー３１とを備える。
【００１４】
漏水受け１１は、漏水を受ける。仕切り板１２は、漏水受け１１の内部空間を二分する。スリット部１３は、仕切り板１２に設けられる。スリット部１３は、仕切り板１２の上端縁から漏水受け１１の底部までつながるように形成される。漏水溜め部屋１４は、仕切り板１２で二分された一方の部屋である。排水部屋１５は、仕切り板１２で二分された他方の部屋である。排水部屋１５の底部２２は、漏水溜め部屋の底部２１よりも下方に配置される。ラウンド形状部１６は、漏水溜め部屋１４と排水部屋１５との境界において漏水溜め部屋の底部２１の角部がラウンド形状になるように形成される。排水口１７は、排水部屋１５に設けられる。漏水検知センサ１８は、漏水溜め部屋１４に設けられる。筒状カバー３１は、漏水検知センサ１８の先端に取り付けられる。筒状カバー３１は、漏水検知センサ１８の先端を覆う。
【００１５】
図４に示されるように、筒状カバー３１は、仕切り３２を備える。仕切り３２は、漏水検知センサ１８を保持し得るように設けられる。具体的には、仕切り３２は、漏水検知センサ１８の差込み穴３３と開口部３４とを内蔵する。
【００１６】
次に、漏水検知装置８の動作を説明する。貯湯ユニット１の周辺の雰囲気と給水管３を流れる水との温度差によって、結露水が給水管３に生じることがある。当該結露水は、漏水溜め部屋１４に流入する。この際、排水部屋１５の仕切り板１２を含む上端縁は、漏水溜め部屋１４の上端縁よりも高い。このため、当該結露水は、貯湯ユニット１の設置場所の勾配に影響せずに確実に漏水溜め部屋１４に誘導される。当該結露水は、スリット部１３を通過して排水部屋１５に流入する。当該結露水は、排水口１７から外部に排水される。結露水程度の少ない流量の水は、漏水溜め部屋１４に流入しても漏水検知センサ１８が動作する水位に達しない。このため、漏水検知装置８は、結露水を漏水と誤検知しない。この際、給水電磁弁９は動作しない。
【００１７】
貯湯ユニット１の部品または貯湯タンク２から漏水が発生すると、当該漏水は、漏水溜め部屋１４に流入する。排水部屋１５の仕切り板１２を含む上端縁は、漏水溜め部屋１４の上端縁よりも高い。このため、当該漏水は、確実に漏水溜め部屋１４に誘導される。当該漏水は、スリット部１３を通過して排水部屋１５に流入する。当該漏水は、排水口１７から外部に排水される。当該漏水は、スリット部１３を通過する際にスリット部１３の排水能力を超えた分だけ漏水溜め部屋１４に溜まる。漏水が予め設定された量を超えると、当該漏水は、予め設定された水位に達する。当該漏水は、漏水検知センサ１８に接触する。その結果、漏水が検知される。
【００１８】
漏水溜め部屋１４に溜まる漏水が漏水溜め部屋１４の容積を超えると、当該漏水は、排水部屋１５の仕切り板１２を含む上端縁を乗り越えて排水部屋１５に流入する。当該漏水が排水部屋１５に流入し始めると、当該漏水の一部は、スリット部１３の流体抵抗を受けずに排出される。このため、排水能力が上昇する。このため、漏水が底面板７の容積を超えて貯湯ユニット１が設置してある床面２０を漏水で濡らすことを防止できる。
【００１９】
以上で説明した実施の形態１において、低温環境下では、貯湯式給湯機の雰囲気と給水管３を流れる水との温度差によって、給水管３の結露水が漏水溜め部屋１４に流入した時点で凍結する場合がある。当該結露水が凍結して堆積される場合、水位が上昇する。水位が筒状カバー３１の漏水溜め部屋１４の下側開口に達した場合、筒状カバー３１の下側開口が凍結により塞がれる。その結果、筒状カバー３１の内部において、水位は、筒状カバー３１の下側開口より上方に移動しない。このため、低温環境下において、漏水検知センサ１８による結露水の誤検知を防止することができる。
【００２０】
また、筒状カバー３１が漏水検知センサ１８に取り付けられた状態において、開口部３４が外部と連通しているため、漏水溜め部屋１４に溜められた漏水が予め設定された水位に達するまでに、筒状カバー３１の内部の空気層が水位の上昇を妨げることはない。このため、当該漏水は、筒状カバー３１の内部へ確実に侵入することができる。
【００２１】
また、筒状カバー３１の上側開口の開口面積を下側開口の開口面積よりも狭くしてもよい。
【００２２】
また、仕切り３２は、漏水検知センサ１８の検知範囲１９のいずれかに配置される。このため、凍結した残水、結露水などの堆積物により、漏水溜め部屋１４および排水部屋１５の排水性能が悪化し、さらに貯湯ユニット１の部品、貯湯タンク２から漏水が発生した場合、漏水検知センサ１８は、仕切り３２より上方の検知範囲１９において漏水溜め部屋１４および排水部屋１５に収まらない漏水を検知することができる。
【００２３】
また、筒状カバー３１の下端面は、排水口１７の上端よりも下方に配置される。このため、筒状カバー３１の下側開口を塞ぐ凍結面が解凍される前に、漏水溜め部屋１４に凍結して堆積した結露水、漏水が解凍された後に排出される。その結果、結露水、漏水が解凍中に筒状カバー３１の内部に流れ込んで水位が上昇することを防止できる。
【００２４】
また、筒状カバー３１の下端面は、漏水検知センサ１８の検知範囲１９よりも下方に位置される。このため、漏水溜め部屋１４の下側端面に溜まった結露水、漏水が低温環境下で凍結し、膨張した場合に、漏水検知センサ１８に接触することを防止できる。
【００２５】
また、筒状カバー３１の上端面は、仕切り板１２の高さより上方に位置する。結露水、漏水が凍結し、堆積し、漏水溜め部屋１４が埋没した場合、結露水、漏水は、排水部屋１５に誘導される。このため、漏水検知センサ１８が筒状カバー３１の外部にある検知範囲１９において結露水や漏水を検知することはない。
【００２６】
また、筒状カバー３１の上端面は、底面板７の下端よりも上方かつ底面板７の上端よりも下方に配置される。このため、凍結した残水、結露水などの堆積物により、漏水溜め部屋１４および排水部屋１５の排水性能が悪化し、さらに貯湯ユニット１の部品、貯湯タンク２から漏水が発生した場合、漏水検知センサ１８は、仕切り３２よりも上方の検知範囲１９において低温環境下における予め設定された量以上の結露水、漏水を検知することができる。
【００２７】
なお、漏水溜め部屋１４の底面と筒状カバー３１の下端面との間の空間に、筒状カバー３１を支持する支持部を設けてもよい。この場合、出荷時の振動、衝撃によって漏水溜め部屋１４の底面で筒状カバー３１の下端面が塞がることを防止できる。
【００２８】
また、検知範囲１９は、仕切り３２の上下においてそれぞれに設けられる。凍結した残水、結露水などの堆積物により、仕切り３２の下方の検知範囲１９が機能しなくなった場合でも、予め設定された量以上の結露水、漏水を生じる場合は、仕切り３２の上方の検知範囲１９で結露水または漏水を検知することができる。
【００２９】
また、漏水検知センサ１８の検知部は、一対の電極である。仕切り３２において、漏水検知センサ１８の検知部の周辺の部位の高さは、他の部位よりも高い。このため、仕切り３２に付着した水滴の蒸気、結露が漏水検知センサ１８の検知部の電極に集中することを防止できる。
【００３０】
また、開口部３４は、一対の電極の間に形成される。このため、仕切り３２に付着した水滴の蒸気、結露により一対の電極の間において短絡が発生することを防止できる。
【００３１】
なお、漏水を検知することができれば、漏水検知センサ１８はどのような構成でもよい。
【符号の説明】
【００３２】
１  貯湯ユニット
２  貯湯タンク
３  給水管
４  出湯管
５  制御基板
６  外郭ケース
７  底面板
８  漏水検知装置
９  給水電磁弁
１０  脚
１１  漏水受け
１２  仕切り板
１３  スリット部
１４  漏水溜め部屋
１５  排水部屋
１６  ラウンド形状部
１７  排水口
１８  漏水検知センサ
１９  検知範囲
２０  床面
２１  底部
２２  底部
３１  筒状カバー
３２  仕切り
３３  差込み穴
３４  開口部
【図１】
2020085617.tif 000003
【図２】
2020085617.tif 000004
【図３】
2020085617.tif 000005
【図４】
2020085617.tif 000006